(57)【要約】【課題】  盗難防止警報装置を結合した手提げ金庫の提供。【解決手段】  手提げ金庫に盗難防止警報装置が設けられ、該盗難防止警報装置が電子制御回路、検出素子、切り換えスイッチ、電池セット及びブザーで構成され、時間測定及び移動測定の機能を具えている。手提げ金庫に盗難防止警報装置を結合したことで、手提げ金庫に既存のロックのほかに、更なる警報防護機能を賦与し、泥棒が盗むのに困難な状況を形成できるようにし、即ち手提げ金庫内の物品を盗んだり直接手提げ金庫を奪いさるのを難しくして盗難防止保全の目的を達成する。【選択図】        図１
0003106620.tif 000002
【実用新案登録請求の範囲】
【請求項１】
箱体、蓋、及び枢設部で組成され、該箱体にダイアル式暗号ロック、鍵穴及び回転スイッチが設けられた手提げ金庫において、盗難防止警報装置が該手提げ金庫の箱体に設けられた溝内に固定され、盗難防止警報装置が箱体の溝内に内蔵され、切り換えスイッチが該箱体に設置され、盗難防止警報装置の設置により盗難防止保全機能を具備したことを特徴とする、手提げ金庫。
【請求項２】
請求項１記載の手提げ金庫において、盗難防止警報装置が電子制御回路、検出素子、切り換えスイッチ、電池セット及びブザーを具え、時間測定警報モードと振動検出警報モードが同時に或いは選択的に使用されることを特徴とする、手提げ金庫。
【請求項３】
請求項２記載の手提げ金庫において、検出素子が振動検出素子とされたことを特徴とする、手提げ金庫。
【考案の詳細な説明】
【技術分野】
【０００１】
本考案は一種の手提げ金庫に係り、特に、盗難防止警報装置が結合されて多層の盗難防止保護機能を具えた手提げ金庫に関する。
【背景技術】
【０００２】
周知の手提げ金庫は、使用者が貴重品や重要な物品を保管するのに用いられ、通常手提げ金庫にはダイアル式暗号ロックとハンドルスイッチが設けられ、これにより泥棒が手提げ金庫内の物品を盗むのを防止している。
【０００３】
更に泥棒が手提げ金庫を盗み出す時、通常は注意深く音を立てないようにし、並びに唯一の盗難防止手段であるダイアル式暗号ロックに対してアンロック或いは破壊の作業を行なって手提げ金庫内部の物品を盗み出す。このような泥棒行為は往々にして防ぎようがなく、使用者が事後に盗まれたことに気づいて警察に通報するのにも時間と手間が係り、使用者は大きな損失を被ることになる。
【考案の開示】
【考案が解決しようとする課題】
【０００４】
本考案の目的は、一種の手提げ金庫を提供することにあり、それは手提げ金庫に盗難防止警報装置が結合され、手提げ金庫が既存のロックのほかに、更なる警報防護手段を具えるものとされ、これにより泥棒が盗み出すのに困難な状況を作り出して盗難防止保全の機能を達成できるものとする。
【０００５】
本考案の別の目的は、一種の手提げ金庫を提供することにあり、それは時間測定警報と振動警報等の機能を具え、泥棒が手提げ金庫内の物品を奪うか或いは手提げ金庫ごと奪いさるのを防止できるものとする。
【課題を解決するための手段】
【０００６】
請求項１の考案は、箱体、蓋、及び枢設部で組成され、該箱体にダイアル式暗号ロック、鍵穴及び回転スイッチが設けられた手提げ金庫において、盗難防止警報装置が該手提げ金庫の箱体に設けられた溝内に固定され、盗難防止警報装置が箱体の溝内に内蔵され、切り換えスイッチが該箱体に設置され、盗難防止警報装置の設置により盗難防止保全機能を具備したことを特徴とする、手提げ金庫としている。
請求項２の考案は、請求項１記載の手提げ金庫において、盗難防止警報装置が電子制御回路、検出素子、切り換えスイッチ、電池セット及びブザーを具え、時間測定警報モードと振動検出警報モードが同時に或いは選択的に使用されることを特徴とする、手提げ金庫としている。
請求項３の考案は、請求項２記載の手提げ金庫において、検出素子が振動検出素子とされたことを特徴とする、手提げ金庫としている。
【考案の効果】
【０００７】
本考案の提供する手提げ金庫は周知の技術と比較すると以下のような長所を有している。
１．手提げ金庫に盗難防止警報装置が結合され、手提げ金庫が既存のロック以外にも警報防護機能を具備し、これにより泥棒が盗むのに更に困難となり、盗難防止保全の目的を達成する。
２．本考案の手提げ金庫は時間測定警報と振動検出警報の機能を具え、泥棒が手提げ金庫内の物品を盗み出したり或いは手提げ金庫ごと盗み去るのを防止できる。
３．本考案の手提げ金庫に使用される盗難防止警報装置は各種形式の手提げ金庫に適用され、設置が容易で低コストである。
【０００８】
本考案は空間形態上、新規性を具え、また本考案は従来の物品に較べて多くの機能を有しており、新規性と進歩性を有しており、実用新案登録の要件に符合するものである。
【考案を実施するための最良の形態】
【０００９】
本考案の手提げ金庫には盗難防止警報装置が結合され、該盗難防止警報装置は、
検出手段と切り換えスイッチの信号を受け取り並びに信号判断と計数機能を具えて入力信号を判断処理した後に信号をブザーに出力してブザーをトリガするかを選択する電子制御回路と、
振動検出素子であり、振動を検出するとトリガ信号を電子制御回路に出力する検出素子と、
盗難防止警報装置の起動スイッチである切り換えスイッチと、
盗難防止警報装置の必要とする電源を提供する電池セットと、
電子制御回路のトリガ信号を受け取りアラーム音を発生するブザーと、
を具えている。
【実施例１】
【００１０】
図１は本考案の手提げ金庫の盗難防止警報装置の回路ブロック図である。図示されるように、本考案の手提げ金庫には盗難防止警報装置１が設けられ、該盗難防止警報装置１は、
検出手段１２と切り換えスイッチ１３の信号を受け取り並びに信号判断と計数機能を具えて入力信号を判断処理した後に信号をブザー１５に出力してブザー１５をトリガするかを選択する電子制御回路１１と、
振動検出素子であり、振動を検出するとトリガ信号を電子制御回路１１に出力する検出素子１２と、
盗難防止警報装置１の起動スイッチである切り換えスイッチ１３と、
盗難防止警報装置１の必要とする電源を提供する電池セット１４と、
電子制御回路１１のトリガ信号を受け取りアラーム音を発生するブザーと、
を具えている。
【００１１】
上述の盗難防止警報装置が手提げ金庫に取付られ、以下の二種類の警報モードが同時に或いは択一使用される。
一．時間測定警報モード：  物品を手提げ金庫内に置いた後、先ず切り換えスイッチをオンし、更に手提げ金庫の蓋を閉じると時間測定警報モードが起動する。手提げ金庫の蓋を再度開くと、電子制御回路が計数し、もし設定時間内であれば、切り換えスイッチをオフせず、ブザーを起動しアラーム音を発する。
二．振動検出警報モード：  物品を手提げ金庫内に置いた後、先ず切り換えスイッチをオンし、更に手提げ金庫の蓋を閉じると振動検出警報モードが起動する。手提げ金庫が移動させられたり或いは手提げ金庫の蓋が開かれる時に過度の振動の状況があると、電子制御回路がブザーを起動しアラーム音を発する。
【００１２】
図２、３及び図４はそれぞれ本考案の手提げ金庫の部分分解図、実施表示図及び立体図である。図示されるように、本考案の手提げ金庫２は、箱体２１、蓋２２及び枢設部２３で組成され、並びに箱体２１にダイアル式暗号ロック３、鍵穴４及び回転スイッチ５が設けられ、更に盗難防止警報装置１がネジ６で箱体２１の溝２１１内に固定され、並びに切り換えスイッチ１３が箱体２１の適当な部分に設置され、設置完成後に盗難防止警報装置１が箱体２１の溝２１１内に内蔵され、これにより手提げ金庫２の物置き空間に影響を与えない。蓋２２が閉じられた後、外観からは手提げ金庫２に盗難防止警報装置１が取り付けられているかどうかは分からない。
【００１３】
以上の実施例は本考案の請求範囲を限定するものではなく、本考案に基づきなしうる細部の修飾或いは改変は、いずれも本考案の請求範囲に基づくものとする。
【図面の簡単な説明】
【００１４】
【図１】本考案の手提げ金庫の盗難防止警報装置の回路ブロック図である。
【図２】本考案の手提げ金庫の部分分解図である。
【図３】本考案の手提げ金庫の実施表示図である。
【図４】本考案の手提げ金庫の立体図である。
【符号の説明】
【００１５】
１  盗難防止警報装置
１１  電子制御回路
１２  検出素子
１３  切り換えスイッチ
１４  電池セット
１５  ブザー
２  手提げ金庫
２１  箱体
２２  蓋
２３  枢設部
３  ダイアル式暗号ロック
４  鍵穴
５  回転スイッチ
６  ネジ
【図１】
0003106620.tif 000003
【図２】
0003106620.tif 000004
【図３】
0003106620.tif 000005
【図４】
0003106620.tif 000006